(57)【要約】【課題】モニタープルーフにおける出力結果を二次利用可能とする。【解決手段】蓄積部１１が、複数の部門の各々に配置されたシステムの各々から出力されたモニタープルーフ用画像を、モニタープルーフ用画像を出力したシステム、又はシステムが配置された部門を特定する部門情報を含む、モニタープルーフ用画像に関する属性情報と対応付けて、複数のシステムで共用される記憶領域に蓄積し、検索部１２が、複数の部門のいずれかからモニタープルーフ用画像の表示が指示された場合、記憶領域を参照して、モニタープルーフ用画像の表示を指示した部門に応じた検索条件に対応するモニタープルーフ用画像を検索し、表示制御部１３が、検索したモニタープルーフ用画像の一覧が表示されるように制御すると共に、一覧から選択されたモニタープルーフ用画像が表示されるように制御する。【選択図】図９
2019159946.tif 000002
【特許請求の範囲】
【請求項１】
複数の部門の各々に配置されたシステムの各々から出力されたモニタープルーフ用画像を、前記モニタープルーフ用画像を出力したシステム、又は前記システムが配置された部門を特定する部門情報を含む、前記モニタープルーフ用画像に関する属性情報と対応付けて、前記複数のシステムで共用される記憶領域に蓄積し、
前記複数の部門のいずれかからモニタープルーフ用画像の表示が指示された場合、前記記憶領域を参照して、前記モニタープルーフ用画像の表示を指示した部門に応じた検索条件に対応するモニタープルーフ用画像を検索し、
検索したモニタープルーフ用画像の一覧が表示されるように制御すると共に、前記一覧から選択されたモニタープルーフ用画像が表示されるように制御する
ことを含む処理をコンピュータに実行させるためのモニタープルーフ連携プログラム。
【請求項２】
前記検索条件として、前記部門情報を指定可能である請求項１に記載のモニタープルーフ連携プログラム。
【請求項３】
前記属性情報は、前記モニタープルーフ用画像に対する作業の進捗を示すステータスを含み、
前記検索条件として、前記ステータスを指定可能である
請求項１又は請求項２に記載のモニタープルーフ連携プログラム。
【請求項４】
前記一覧から選択されたモニタープルーフ用画像を表示する際、前記モニタープルーフ用画像のステータスを変更するためのコマンドボタンを表示する請求項３に記載のモニタープルーフ連携プログラム。
【請求項５】
表示する前記コマンドボタンの種類を、前記モニタープルーフ用画像の表示を指示した部門において変更可能なステータスに対応した種類とする請求項４に記載のモニタープルーフ連携プログラム。
【請求項６】
前記モニタープルーフ用画像と共に表示した前記コマンドボタンのいずれかが選択された場合、選択された前記コマンドボタンの種類に基づいて、前記記憶領域に記憶された前記ステータスを更新することをさらに含む処理を前記コンピュータに実行させるための請求項５に記載のモニタープルーフ連携プログラム。
【請求項７】
複数の部門の各々に配置されたシステムの各々から出力されたモニタープルーフ用画像を、前記モニタープルーフ用画像を出力したシステム、又は前記システムが配置された部門を特定する部門情報を含む、前記モニタープルーフ用画像に関する属性情報と対応付けて、前記複数のシステムで共用される記憶領域に蓄積する蓄積部と、
前記複数の部門のいずれかからモニタープルーフ用画像の表示が指示された場合、前記記憶領域を参照して、前記モニタープルーフ用画像の表示を指示した部門に応じた検索条件に対応するモニタープルーフ用画像を検索する検索部と、
検索したモニタープルーフ用画像の一覧が表示されるように制御すると共に、前記一覧から選択されたモニタープルーフ用画像が表示されるように制御する表示制御部と、
を含むモニタープルーフ連携装置。
【請求項８】
複数の部門の各々に配置されたシステムの各々から出力されたモニタープルーフ用画像を、前記モニタープルーフ用画像を出力したシステム、又は前記システムが配置された部門を特定する部門情報を含む、前記モニタープルーフ用画像に関する属性情報と対応付けて、前記複数のシステムで共用される記憶領域に蓄積し、
前記複数の部門のいずれかからモニタープルーフ用画像の表示が指示された場合、前記記憶領域を参照して、前記モニタープルーフ用画像の表示を指示した部門に応じた検索条件に対応するモニタープルーフ用画像を検索し、
検索したモニタープルーフ用画像の一覧が表示されるように制御すると共に、前記一覧から選択されたモニタープルーフ用画像が表示されるように制御する
ことを含む処理をコンピュータが実行するためのモニタープルーフ連携方法。
【発明の詳細な説明】
【技術分野】
【０００１】
本発明は、モニタープルーフ連携プログラム、モニタープルーフ連携装置、及びモニタープルーフ連携方法に関する。
【背景技術】
【０００２】
従来、印刷現場では、印刷物のプルーフとして、校正印刷物やインクジェットプリントが利用されてきた。近年、印刷物のプルーフをモニター上にシミュレートして確認を行うモニタープルーフが利用されるようになっている。新聞などの印刷現場においても、輪転機の印刷結果に対するインク調整において、業界色基準などを基に液晶モニターと印刷物のより高精度なカラーマッチングを実施可能とするモニタープルーフが利用されるようになっている。
【０００３】
このようなモニタープルーフにおいては、刷り上り印刷物の色確認作業を効率化するため使用されることが多く、モニターの色が校正印刷物やインクジェットプリントに置き換わる品質であれば、これらの紙上サンプルの作成は不要となる。
【先行技術文献】
【特許文献】
【０００４】
【特許文献１】特開２００９−１１９７４３号公報
【発明の概要】
【発明が解決しようとする課題】
【０００５】
上記のようなモニタープルーフが、輪転機の印刷結果の確認だけでなく、例えば、新聞制作の現場では、写真の色調整など、新聞の編集を行う他の部門でも利用すれば、印刷に費やされていた時間の削減が可能となる。しかしながら、紙によるサンプルが存在しなくなると、紙面を並べて確認する作業、紙に印刷した写真を利用した他部門との連携といった、これまで行ってきた業務が回せなくなるという問題が生じる。
【０００６】
一つの側面として、モニタープルーフにおける出力結果を二次利用可能とするシステムを提供することを目的とする。
【課題を解決するための手段】
【０００７】
一つの態様として、複数の部門の各々に配置されたシステムの各々から出力されたモニタープルーフ用画像を、前記モニタープルーフ用画像に関する属性情報と対応付けて、前記複数のシステムで共用される記憶領域に蓄積する。属性情報は、前記モニタープルーフ用画像を出力したシステム、又は前記システムが配置された部門を特定する部門情報を含む。そして、前記複数の部門のいずれかからモニタープルーフ用画像の表示が指示された場合、前記記憶領域を参照して、前記モニタープルーフ用画像の表示を指示した部門に応じた検索条件に対応するモニタープルーフ用画像を検索する。さらに、検索したモニタープルーフ用画像の一覧が表示されるように制御すると共に、前記一覧から選択されたモニタープルーフ用画像が表示されるように制御する。
【発明の効果】
【０００８】
モニタープルーフにおける出力結果を二次利用可能とするシステムを提供することができる。例えば、モニタープルーフを利用して、複数の部門又はシステムを連携することができる。
【図面の簡単な説明】
【０００９】
【図１】本実施形態に係るモニタープルーフ連携装置により連携される各部門及びシステムを説明するための概略図である。
【図２】素材管理システムを説明するための図である。
【図３】素材データベースの一例を示す図である。
【図４】更新後の素材データベースの一例を示す図である。
【図５】画像加工システムにおける画像加工画面の一例を示す図である。
【図６】組版システムにおける整理部が利用する組版画面の一例を示す図である。
【図７】組版システムにおける確認部が利用する組版画面の一例を示す図である。
【図８】モニタープルーフシステムの概略構成を示す図である。
【図９】モニタープルーフ連携装置の機能ブロック図である。
【図１０】モニタープルーフＤＢの一例を示す図である。
【図１１】初期検索条件テーブルの一例を示す図である。
【図１２】素材管理部における一覧画面の一例を示す図である。
【図１３】画像加工部における一覧画面の一例を示す図である。
【図１４】整理部における一覧画面の一例を示す図である。
【図１５】確認部における一覧画面の一例を示す図である。
【図１６】制御情報テーブルの一例を示す図である。
【図１７】素材管理部におけるプルーフ画面の一例を示す図である。
【図１８】画像加工部におけるプルーフ画面の一例を示す図である。
【図１９】整理部におけるプルーフ画面の一例を示す図である。
【図２０】確認部におけるプルーフ画面の一例を示す図である。
【図２１】モニタープルーフ連携装置として機能するコンピュータの概略構成を示すブロック図である。
【図２２】蓄積処理の一例を示すフローチャートである。
【図２３】表示制御処理の一例を示すフローチャートである。
【発明を実施するための形態】
【００１０】
以下、図面を参照して、本発明の実施形態の一例を詳細に説明する。なお、本実施形態では、新聞制作の各部門に配置されたモニタープルーフシステムを利用して、各部門で利用するシステムを連携する場合を例に説明する。
【００１１】
図１に示すように、本実施形態では、新聞制作の部門として、素材管理部、画像加工部、整理部、及び確認部を含む場合を例に説明する。なお、新聞制作の部門には、他の部門も存在するが、ここでは、主にモニタープルーフを利用する部門に着目して説明する。
【００１２】
素材管理部には、素材管理システム２０Ａ及びモニタープルーフシステム３０Ａが配置されている。画像加工部には、画像加工システム２０Ｂ及びモニタープルーフシステム３０Ｂが配置されている。整理部には、組版システム２０Ｃ及びモニタープルーフシステム３０Ｃが配置されている。確認部には、組版システム２０Ｄ及びモニタープルーフシステム３０Ｄが配置されている。
【００１３】
以下では、素材管理システム２０Ａ、画像加工システム２０Ｂ、組版システム２０Ｃ、及び組版システム２０Ｄを区別なく説明する場合には、「部門システム２０」と表記する。また、モニタープルーフシステム３０Ａ、３０Ｂ、３０Ｃ、３０Ｄを区別なく説明する場合には、「モニタープルーフシステム３０」と表記する。
【００１４】
各部門システム２０は、モニタープルーフ出力システム４０及び本実施形態に係るモニタープルーフ連携装置１０と接続されている。また、各モニタープルーフシステム３０は、モニタープルーフ連携装置１０と接続されている。
【００１５】
まず、各部門の役割を概略的に説明する。
【００１６】
素材管理部は、カメラマンなどが撮影した写真や、デザイナーなどが作成したイラスト等の素材画像（以下、単に「素材」ともいう）をデータベースで管理すると共に、各素材について、新聞への掲載の採用又は未採用を決定する部門である。
【００１７】
画像加工部は、新聞に掲載する素材を、最適な印刷結果が得られるように、色やサイズの調整、トリミング等の加工を行う部門である。
【００１８】
整理部は、新聞の面毎に、掲載が指示された素材をレイアウトする部門である。以下では、整理部により作成される紙面を「中間紙面」ともいう。
【００１９】
確認部は、整理部により素材がレイアウトされた紙面に、記事や広告も加えた最終的に印刷にかける紙面の確認を行う部門である。以下では、確認部により確認される紙面を「最終紙面」ともいう。
【００２０】
次に、各部門で利用されるシステムについて説明する。
【００２１】
素材管理部で利用される素材管理システム２０Ａは、ディスプレイなどの表示部、キーボードやマウス等の入力部、制御部として機能するコンピュータ等を含む。また、素材管理システム２０Ａは、素材を示す画像データが、その素材の属性情報と共に記憶される素材データベース（ＤＢ）２２Ａを有する。
【００２２】
素材管理システム２０Ａは、図２に示すように、写真やイラストなどの画像データが素材として入力されると、入力された素材に識別情報である素材ＩＤを付与して、素材ＤＢ２２Ａに記憶する。
【００２３】
図３に、素材ＤＢ２２Ａの一例を示す。素材ＤＢ２２Ａは、「素材ＩＤ」、「画像データ」、「リビジョン」、「採用ステータス」、「確認ステータス」、「コメント」、「付日」、「面コード」等の項目を含む。「リビジョン」は、素材を示す画像データの加工が行われて、素材ＤＢ２２Ａに記憶された素材が更新される都度、カウントアップする版数である。
【００２４】
「採用ステータス」は、新聞への掲載の採用又は未採用を示す情報であり、「採用」又は「未採用」の値が格納される。「確認ステータス」は、素材の状態が最適な印刷結果を得られる状態であるか否かの確認状況を示す情報であり、確認が完了していないことを示す「未確認」、確認の結果を示す「ＯＫ」又は「ＮＧ」の値が格納される。確認ステータスが「ＮＧ」の場合、最適な印刷結果が得られるようにするために加工が必要であることを表す。
【００２５】
「コメント」は、例えば、素材が示す内容などを端的に表すキーワード、キャプション、撮影者、撮影場所等の素材に関連するテキストデータである。「付日」は、その素材を何日付けの新聞に掲載するかを示す情報である。「面コード」は、その素材が掲載される面（総合面、社会面、スポーツ面等）の識別情報である。
【００２６】
各素材が最初に素材ＤＢ２２Ａに記憶される際の「リビジョン」の初期値は「０」、「採用ステータス」の初期値は「未採用」、及び「確認ステータス」の初期値は「未確認」とする。また、「コメント」、「付日」、及び「面コード」はブランクとする。
【００２７】
素材管理システム２０Ａは、図２に示すように、素材ＤＢ２２Ａに記憶された素材のうち、素材管理部門の担当者により、新聞へ掲載する素材として採用する素材が選択される。素材管理部門の担当者は、素材管理システム２０Ａにより、選択した素材に、「コメント」、「付日」、及び「面コード」の情報を付与して、「採用ステータス」を「採用」に更新する。図４に、更新後の素材ＤＢ２２Ａの一例を示す。図４中、太枠で示す部分が更新された情報である。
【００２８】
また、素材管理システム２０Ａは、「採用ステータス」が「採用」に変更された素材の画像データをモニタープルーフ用画像として、その素材の属性情報と共にモニタープルーフ出力システム４０へ出力する。
【００２９】
画像加工部で利用される画像加工システム２０Ｂは、ディスプレイなどの表示部、キーボードやマウス等の入力部、制御部として機能するコンピュータ等を含む。画像加工システム２０Ｂ上では、フォトショップ（登録商標）などの画像加工のアプリケーションが動作する。
【００３０】
図５に、画像加工システム２０Ｂによる画像加工画面２１Ｂの一例を概略的に示す。図５の例では、画像加工画面２１Ｂは、加工する素材を選択するためのテキストボックスやコマンドボタン２２Ｂ、及び選択された素材を示す画像が表示される素材画像表示領域２３Ｂを含む。また、画像加工画面２１Ｂは、選択された素材の属性情報の表示２４Ｂ、素材を加工するための加工ツール２５Ｂ、素材に施された加工を確定し、素材ＤＢ２２Ａを更新するための更新ボタン２６Ｂ等を含む。
【００３１】
画像加工システム２０Ｂは、更新ボタン２６Ｂが選択された場合、加工前の素材の「リビジョン」に１加算し、画像データを加工後の画像データに更新する。また、画像加工システム２０Ｂは、加工後の素材の画像データをモニタープルーフ用画像として、その素材の属性情報と共にモニタープルーフ出力システム４０へ出力する。
【００３２】
整理部で利用される組版システム２０Ｃは、ディスプレイなどの表示部、キーボードやマウス等の入力部、制御部として機能するコンピュータ等を含む。組版システム２０Ｃ上では、新聞紙面上に掲載する記事や素材を組み付ける組版のアプリケーションが動作する。
【００３３】
図６に、組版システム２０Ｃにおいて、整理部が利用する組版画面２１Ｃの一例を概略的に示す。図６の例では、組版画面２１Ｃは、組版の対象となる紙面を特定するための「付日」及び「面コード」を指定するためのテキストボックス２２Ｃ、素材の一覧が表示される素材一覧領域２３Ｃ、紙面上へ素材をレイアウトするレイアウト領域２４Ｃ等を含む。素材一覧領域２３Ｃには、テキストボックス２２Ｃで指定された情報と一致する「付日」及び「面コード」を属性情報として持つ素材のサムネイル画像、及びその素材の属性情報が表示される。図６の例では、属性情報として、「確認ステータス」を表示した例を示している。レイアウト領域２４Ｃには、素材一覧領域２３Ｃからドラッグ＆ドロップにより素材が配置される。また、組版画面２１Ｃは、素材がレイアウトされた中間紙面の画像データをモニタープルーフ出力システム４０へ出力する際に選択される出力ボタン２５Ｃを含む。
【００３４】
組版システム２０Ｃは、出力ボタン２５Ｃが選択された場合、中間紙面の画像データをモニタープルーフ用画像とし、「付日」及び「面コード」をそのモニタープルーフ用画像の属性情報として、モニタープルーフ出力システム４０へ出力する。
【００３５】
確認部で利用される組版システム２０Ｄは、整理部で利用される組版システム２０Ｃと同様であり、表示部、入力部、コンピュータ等を含み、組版システム２０Ｄ上では、組版のアプリケーションが動作する。
【００３６】
図７に、組版システム２０Ｄにおいて、確認部が利用する組版画面２１Ｄの一例を概略的に示す。図７の例では、組版画面２１Ｄは、組版の対象となる紙面を特定するための「付日」及び「面コード」を指定するためのテキストボックス２２Ｄ、対象の面に掲載する素材、記事、広告等の各種情報が表示される情報表示領域２３Ｄを含む。また、組版画面２１Ｄは、素材、記事、広告等がレイアウトされた紙面を表示するレイアウト領域２４Ｄ等を含む。また、組版画面２１Ｄは、素材、記事、広告等がレイアウトされた最終紙面の画像データをモニタープルーフ出力システム４０へ出力する際に選択される出力ボタン２５Ｄを含む。
【００３７】
組版システム２０Ｄは、出力ボタン２５Ｄが選択された場合、最終紙面の画像データをモニタープルーフ用画像とし、「付日」及び「面コード」を属性情報として、モニタープルーフ出力システム４０へ出力する。
【００３８】
図８に示すように、各部門に配置されたモニタープルーフシステム３０は、制御部として機能するコンピュータ３２、ディスプレイなどの表示部３４、３６、及びキーボードやマウス等の入力部３８を含む。本実施形態では、表示部は、表示するモニタープルーフ用画像の選択などを行うための操作画面用の表示部３４と、モニタープルーフ用画像を原寸大で表示可能な確認用の表示部３６とを備えるマルチディスプレイであるものとする。なお、以下では、各部門のモニタープルーフシステム３０について区別して説明する必要がある場合には、各符号の末尾に、素材管理部については「Ａ」、画像加工部については「Ｂ」、整理部については「Ｃ」、確認部については「Ｄ」を付加する。
【００３９】
モニタープルーフシステム３０は、担当者により、モニタープルーフ用画像の表示を指示する入力が行われると、モニタープルーフ用画像の表示指示をモニタープルーフ連携装置１０へ出力する。表示指示には、モニタープルーフシステム３０が配置された部門を特定するための部門情報が含まれる。
【００４０】
また、モニタープルーフシステム３０は、モニタープルーフ連携装置１０から、モニタープルーフ用画像の一覧画面（詳細は後述）の画面データを受け付けると、受け付けた画面データに基づいて、一覧画面を表示部３４に表示する。また、モニタープルーフシステム３０は、表示部３４に表示した一覧画面から担当者により選択されたモニタープルーフ用画像を示す選択情報をモニタープルーフ連携装置１０へ出力する。選択情報には、選択されたモニタープルーフ用画像のプルーフ用画像ＩＤ及び部門情報が含まれる。
【００４１】
また、モニタープルーフシステム３０は、モニタープルーフ連携装置１０から、モニタープルーフ用画像及び制御情報（詳細は後述）を受け付けると、受け付けたモニタープルーフ用画像を表示部３６に原寸大で表示すると共に、各種コマンドボタン（詳細は後述）を表示する。また、モニタープルーフシステム３０は、表示部３６に表示されたモニタープルーフ用画像及びコマンドボタンに対する担当者の操作を受け付け、操作情報をモニタープルーフ連携装置１０へ出力する。操作情報には、表示部３６に表示されているモニタープルーフ用画像のプルーフ用画像ＩＤ、及びその属性情報が含まれる。ここでの属性情報には、コマンドボタンの選択により更新された採用ステータス又は確認ステータスの情報が含まれる。さらに、素材画像が加工された場合には、加工後の画像データも操作情報に含まれる。
【００４２】
モニタープルーフ出力システム４０は、各部門システム２０から出力された、多値画像であるモニタープルーフ用画像を、紙媒体への印刷結果をシミュレーションした２値画像の画像データに変換する。モニタープルーフ出力システム４０は、変換した２値画像のモニタープルーフ用画像の画像データ、各部門システム２０から受け付けた属性情報、及び出力元の情報を、モニタープルーフ連携装置１０へ出力する。出力元の情報とは、モニタープルーフ用画像が、いずれの部門システム２０から出力されたものであるかを特定する情報である。
【００４３】
次に、本実施形態に係るモニタープルーフ連携装置１０について詳述する。図９に示すように、モニタープルーフ連携装置１０は、機能的には、蓄積部１１と、検索部１２と、表示制御部１３と、更新部１４とを含む。また、モニタープルーフ連携装置１０の所定の記憶領域には、モニタープルーフＤＢ１６と、初期検索条件テーブル１７と、制御情報テーブル１８とが記憶される。
【００４４】
蓄積部１１は、モニタープルーフ出力システム４０から出力されたモニタープルーフ用画像の画像データ、属性情報、及び出力元の情報を受け付け、モニタープルーフＤＢ１６に記憶する。
【００４５】
図１０に、モニタープルーフＤＢ１６の一例を示す。図１０の例では、モニタープルーフＤＢ１６は、「プルーフ用画像ＩＤ」、「リビジョン」、「画像データ」、「出力元」、「コメント」、「付日」、「面コード」、「採用ステータス」、「確認ステータス」、「蓄積日時」等の項目を含む。
【００４６】
「プルーフ用画像ＩＤ」は、モニタープルーフ用画像の識別情報である。「リビジョン」は、モニタープルーフ用画像の版数情報である。「出力元」は、モニタープルーフ用画像と共に受け付けられる出力元の情報である。図１０の例では、素材管理システム２０Ａから受け付けるモニタープルーフ用画像の「出力元」を「素材管理」、画像加工システム２０Ｂから受け付けるモニタープルーフ用画像の「出力元」を「画像加工」としている。また、整理部の組版システム２０Ｃから受け付けるモニタープルーフ用画像の「出力元」を「整理」、確認部の組版システム２０Ｄから受け付けるモニタープルーフ用画像の「出力元」を「確認」としている。
【００４７】
「コメント」は、モニタープルーフ用画像が素材画像の場合には、モニタープルーフ用画像と共に受け付けた属性情報に含まれる「コメント」である。「付日」及び「面コード」は、モニタープルーフ用画像と共に受け付けた属性情報に含まれる「付日」及び「面コード」である。「蓄積日時」は、モニタープルーフ用画像をモニタープルーフＤＢ１６に蓄積した日時、又はモニタープルーフＤＢ１６に蓄積されたモニタープルーフ用画像及びその属性情報を更新した日時である。「採用ステータス」及び「確認ステータス」については後述する。
【００４８】
具体的には、蓄積部１１は、受け付けたモニタープルーフ用画像にプルーフ用画像ＩＤを付与する。既に同一の素材又は紙面について、モニタープルーフ用画像がモニタープルーフＤＢ１６に蓄積されている場合、蓄積部１１は、既蓄積分と同一のプルーフ用画像ＩＤを付与する。さらに、蓄積部１１は、既蓄積分の「リビジョン」の値を１カウントアップした値を「リビジョン」として付与する。なお、素材が同一か否かは、画像データのファイル名等で判断する。また、紙面が同一か否かは、画像データのファイル名で判断してもよいし、「付日」及び「面コード」が同一か否かで判断してもよい。同一のモニタープルーフ用画像が蓄積されていない場合、蓄積部１１は、受け付けたモニタープルーフ用画像に新規のプルーフ用画像ＩＤを付与すると共に、「リビジョン」として、初期値「０」を付与する。また、詳細は後述するが、受け付けた属性情報に「確認ステータス」が含まれていない場合は、蓄積部１１は、「確認ステータス」として、初期値「未確認」を付与する。
【００４９】
蓄積部１１は、受け付けた情報及び付与した情報の各々を、モニタープルーフＤＢ１６の対応する項目の各々に記憶すると共に、「蓄積日時」に現在日時を記憶する。
【００５０】
検索部１２は、各部門のモニタープルーフシステム３０から、モニタープルーフ用画像の表示指示を受け付けると、モニタープルーフＤＢ１６から、表示指示を出力したモニタープルーフシステム３０が配置された部門に応じたモニタープルーフ用画像を検索する。
【００５１】
具体的には、検索部１２は、例えば、図１１に示すように、部門毎の初期検索条件が定められた初期検索条件テーブル１７を参照して、表示指示に含まれる部門情報が示す部門に対応した初期検索条件を特定する。初期検索条件では、各部門の作業内容に応じて、必要となるモニタープルーフ用画像の一覧が得られるような条件を定めておけばよい。そして、検索部１２は、モニタープルーフＤＢ１６から、初期検索条件に合致する属性情報を有するモニタープルーフ用画像を検索する。
【００５２】
なお、検索条件における「リビジョン」が「最新」とは、プルーフ用画像ＩＤが同一のプルーフ用画像のうち、「リビジョン」の値が最大のモニタープルーフ用画像を検索することを示す。
【００５３】
また、検索部１２は、モニタープルーフシステム３０から、検索条件の変更を受け付けると、変更された検索条件にしたがって、モニタープルーフＤＢ１６から、モニタープルーフ用画像を検索する。検索部１２は、検索したモニタープルーフ用画像、及びその属性情報を、表示制御部１３へ受け渡す。
【００５４】
表示制御部１３は、検索部１２から受け渡されたモニタープルーフ用画像、及びその属性情報から、モニタープルーフ用画像の一覧画面の画面データを作成し、表示指示を出力したモニタープルーフシステム３０へ返す。
【００５５】
これにより、モニタープルーフシステム３０の表示部３４に、各部門に応じたモニタープルーフ用画像の一覧画面が表示される。図１２〜図１５に、図１１に示す初期検索条件で検索したモニタープルーフ用画像の一覧画面４１の一例を示す。図１２は、素材管理部のモニタープルーフシステム３０Ａの表示部３４Ａに表示される一覧画面４１Ａの一例である。図１３は、画像加工部のモニタープルーフシステム３０Ｂの表示部３４Ｂに表示される一覧画面４１Ｂの一例である。図１４は、整理部のモニタープルーフシステム３０Ｃの表示部３４Ｃに表示される一覧画面４１Ｃの一例である。図１５は、確認部のモニタープルーフシステム３０Ｄの表示部３４Ｄに表示される一覧画面４１Ｄの一例である。
【００５６】
一覧画面４１は、一覧表示領域４２と、検索条件指定領域４３とを含む。一覧表示領域４２には、検索されたモニタープルーフ用画像のサムネイル画像と、そのモニタープルーフ用画像の属性情報とが対応付けて表示される。検索条件指定領域４３では、モニタープルーフ用画像の属性情報の項目毎に、テキストデータの直接入力や、プルダウンメニューからの選択等の方法により、条件を指定可能である。
【００５７】
なお、素材管理部用の初期検索条件に応じた一覧画面４１の一例を示す図１２の一覧画面４１Ａでは、モニタープルーフＤＢ１６に蓄積された素材画像、すなわち、素材管理部により採用、又は一旦採用された後に未採用に変更された素材の一覧を把握可能である。
【００５８】
また、画像加工部用の初期条件に応じた一覧画面４１の一例を示す図１３の一覧画面４１Ｂでは、「採用ステータス」が「採用」である素材、すなわち、新聞へ掲載する素材の確認状況を把握可能である。また、検索条件として、「確認ステータス」が「未確認」又は「ＮＧ」を追加すれば、画像加工部による加工が必要な素材の一覧を把握可能となる。
【００５９】
また、整理部用の初期条件に応じた一覧画面４１の一例を示す図１４の一覧画面４１Ｃでは、翌日発行の新聞について、紙面毎に、素材のレイアウト等の確認状況を把握可能である。
【００６０】
また、確認部用の初期条件に応じた一覧画面４１の一例を示す図１５の一覧画面４１Ｄでは、翌日発行の新聞について、紙面毎に、最終確認が完了していない紙面の一覧を把握可能である。
【００６１】
各部門では、担当者が、表示部３４に表示された一覧画面４１の一覧表示領域４２から、表示部３６への表示対象のモニタープルーフ用画像に対応したサムネイル画像を選択する。これにより、表示制御部１３は、選択されたサムネイル画像に対応するモニタープルーフ用画像のプルーフ用画像ＩＤ及び部門情報を含む選択情報を受け付ける。表示制御部１３は、受け付けた選択情報に含まれるプルーフ用画像ＩＤが示すモニタープルーフ用画像の画像データを、モニタープルーフＤＢ１６から取得する。
【００６２】
また、表示制御部１３は、モニタープルーフ用画像を表示部３６に表示する部門に応じて、モニタープルーフ用画像の採用ステータス及び確認ステータスを変更するためのコマンドボタンの表示又は非表示を制御する制御情報を取得する。表示制御部１３は、例えば図１６に示す制御情報テーブル１８から、受け付けた選択情報に含まれる部門情報が示す部門に対応する制御情報を取得する。
【００６３】
制御情報テーブル１８は、部門毎かつ表示対象のモニタープルーフ用画像の種別毎に、各コマンドボタンの表示の可否を示す制御情報が定められたテーブルである。図１６の例では、採用ステータスについては、未採用の素材を採用に変更するための「採用」ボタン、及び一旦採用された素材について採用を取り消すための「採用取消」ボタンが用意されている。また、確認ステータスについては、各ステータスに変更するための「未確認」ボタン、「ＯＫ」ボタン、「ＮＧ」ボタンが用意されている。図１６の例では、コマンドボタンを表示する場合の制御情報を「ＴＲＵＥ」、表示しない場合の制御情報を「ＦＡＬＳＥ」で表している。
【００６４】
表示制御部１３は、取得したモニタープルーフ用画像の画像データ及び制御情報を、選択情報を出力したモニタープルーフシステム３０へ返す。
【００６５】
これにより、モニタープルーフシステム３０の表示部３６に、一覧画面４１から選択されたモニタープルーフ用画像が原寸大で表示されると共に、ステータスを変更するためのコマンドボタンが各部門に応じて表示される。図１７〜図２０に、図１６に示す制御情報テーブル１８にしたがってコマンドボタンが表示されたプルーフ画面４４の一例を示す。図１７は、素材管理部のモニタープルーフシステム３０Ａの表示部３６Ａに表示されるプルーフ画面４４Ａの一例である。図１８は、画像加工部のモニタープルーフシステム３０Ｂの表示部３６Ｂに表示されるプルーフ画面４４Ｂの一例である。図１９は、整理部のモニタープルーフシステム３０Ｃの表示部３６Ｃに表示されるプルーフ画面４４Ｃの一例である。図２０は、確認部のモニタープルーフシステム３０Ｄの表示部３６Ｄに表示されるプルーフ画面４４Ｄの一例である。
【００６６】
プルーフ画面４４は、モニタープルーフ用画像が原寸大で表示される画像表示領域４５と、表示されたモニタープルーフ用画像の属性情報（ステータス以外）の表示４６と、ステータスの表示４７と、ステータスを変更するためのコマンドボタン４８とを含む。
【００６７】
素材管理部では、各素材について、紙面への掲載の採用及び未採用を決定するため、図１７の例では、コマンドボタン４８として、「採用」ボタン及び「採用取消」ボタンが表示される。また、既に画像加工部で確認済みの素材の採用を取り消した場合には、必要に応じて、その素材の確認ステータスを未確認に変更するための「未確認」ボタンも表示される。
【００６８】
画像加工部では、各素材について、紙面への掲載に適した状態か否かを確認するため、図１８の例では、コマンドボタン４８として、「未確認」ボタン、「ＯＫ」ボタン、及び「ＮＧ」ボタンが表示される。また、画像加工のアプリケーションを、モニタープルーフシステム３０Ｂ上、又は画像加工システム２０Ｂ上で起動するための起動ボタン４９も表示される。画像加工部の担当者は、例えば、確認ステータスが「未確認」の素材のプルーフ画面４４Ｂを表示し、起動ボタン４９を選択して、画像を加工した上で、「ＯＫ」ボタンを選択する。なお、「未確認」ボタンは、一旦確認済み（「ＯＫ」又は「ＮＧ」）とした素材について、その確認状態を取り消す際に選択される。
【００６９】
整理部では、各中間紙面の確認状態を把握するために、図１９の例では、コマンドボタン４８として、「未確認」ボタン、「ＯＫ」ボタン、及び「ＮＧ」ボタンが表示される。
【００７０】
確認部では、各最終紙面の確認状態を把握するために、図２０の例では、コマンドボタン４８として、「未確認」ボタン、「ＯＫ」ボタン、及び「ＮＧ」ボタンが表示される。
【００７１】
更新部１４は、プルーフ画面４４において、いずれかのコマンドボタン４８が選択されると、モニタープルーフシステム３０から、操作情報を受け付ける。操作情報には、プルーフ用画像ＩＤ、素材画像が加工された場合には、加工後の画像データ、及び更新された採用ステータス又は確認ステータスの情報を含む属性情報が含まれる。更新部１４は、受け付けた操作情報に基づいて、モニタープルーフＤＢ１６を更新する。なお、表示対象のモニタープルーフ用画像が素材画像の場合であって、素材画像が加工された上で、確認ステータスが更新された場合には、更新部１４は、「リビジョン」を１カウントアップした上で更新する。また、更新部１４は、表示対象のモニタープルーフ用画像が素材画像の場合には、操作情報に基づいて、素材管理システム２０Ａの素材ＤＢ２２Ａも更新する。素材ＤＢ２２Ａの更新は、例えば、ＡＰＩ（Application Programming Interface）により実現することができる。
【００７２】
モニタープルーフ連携装置１０は、例えば図２１に示すコンピュータ５０で実現することができる。コンピュータ５０は、ＣＰＵ（Central Processing Unit）５１と、一時記憶領域としてのメモリ５２と、不揮発性の記憶部５３とを備える。また、コンピュータ５０は、入力装置、表示装置等の入出力装置５４と、記憶媒体５９に対するデータの読み込み及び書き込みを制御するＲ／Ｗ（Read/Write）部５５と、インターネット等のネットワークに接続される通信Ｉ／Ｆ（Interface）５６とを備える。ＣＰＵ５１、メモリ５２、記憶部５３、入出力装置５４、Ｒ／Ｗ部５５、及び通信Ｉ／Ｆ５６は、バス５７を介して互いに接続される。
【００７３】
記憶部５３は、ＨＤＤ（Hard Disk Drive）、ＳＳＤ（Solid State Drive）、フラッシュメモリ等によって実現できる。記憶媒体としての記憶部５３には、コンピュータ５０を、モニタープルーフ連携装置１０として機能させるためのモニタープルーフ連携プログラム６０が記憶される。モニタープルーフ連携プログラム６０は、蓄積プロセス６１と、検索プロセス６２と、表示制御プロセス６３と、更新プロセス６４とを有する。また、記憶部５３は、モニタープルーフＤＢ１６、初期検索条件テーブル１７、及び制御情報テーブル１８を構成する情報が記憶される情報記憶領域６５を有する。
【００７４】
ＣＰＵ５１は、モニタープルーフ連携プログラム６０を記憶部５３から読み出してメモリ５２に展開し、モニタープルーフ連携プログラム６０が有するプロセスを順次実行する。ＣＰＵ５１は、蓄積プロセス６１を実行することで、図９に示す蓄積部１１として動作する。また、ＣＰＵ５１は、検索プロセス６２を実行することで、図９に示す検索部１２として動作する。また、ＣＰＵ５１は、表示制御プロセス６３を実行することで、図９に示す表示制御部１３として動作する。また、ＣＰＵ５１は、更新プロセス６４を実行することで、図９に示す更新部１４として動作する。また、ＣＰＵ５１は、情報記憶領域６５から情報を読み出して、メモリ５２にモニタープルーフＤＢ１６、初期検索条件テーブル１７、及び制御情報テーブル１８の各々を展開する。これにより、モニタープルーフ連携プログラム６０を実行したコンピュータ５０が、モニタープルーフ連携装置１０として機能することになる。なお、プログラムを実行するＣＰＵ５１はハードウェアである。
【００７５】
なお、モニタープルーフ連携プログラム６０により実現される機能は、例えば半導体集積回路、より詳しくはＡＳＩＣ（Application Specific Integrated Circuit）等で実現することも可能である。
【００７６】
次に、本実施形態に係るモニタープルーフ連携装置１０の作用について説明する。モニタープルーフ出力システム４０が、各部門システム２０から受け付け、２値画像に変換したモニタープルーフ用画像の画像データ、その属性情報、及び出力元の情報を、モニタープルーフ連携装置１０へ出力する。モニタープルーフ出力システム４０から出力された情報が、モニタープルーフ連携装置１０へ入力されると、モニタープルーフ連携装置１０が図２２に示す蓄積処理を実行する。
【００７７】
また、モニタープルーフ連携装置１０が、部門システム２０のいずれかから、モニタープルーフ用画像の表示指示を受け付けると、モニタープルーフ連携装置１０が、図２３に示す表示制御処理を実行する。
【００７８】
以下、蓄積処理及び表示制御処理について詳述する。なお、蓄積処理及び表示制御処理は、本発明のモニタープルーフ連携方法の一例である。
【００７９】
まず、図２２を参照して、蓄積処理について説明する。
【００８０】
ステップＳ１２で、蓄積部１１が、モニタープルーフ連携装置１０へ入力されたモニタープルーフ用画像の画像データ、属性情報、及び出力元の情報を受け付ける。
【００８１】
次に、ステップＳ１４で、蓄積部１１が、受け付けたモニタープルーフ用画像にプルーフ用画像ＩＤ、「リビジョン」、及び、必要に応じて、「確認ステータス」の初期値「未確認」を付与する。そして、蓄積部１１が、受け付けた情報及び付与した情報の各々を、モニタープルーフＤＢ１６の対応する項目の各々に記憶すると共に、「蓄積日時」に現在日時を記憶することで、モニタープルーフ用画像の画像データ及び属性情報を蓄積する。そして、蓄積処理は終了する。
【００８２】
次に、図２３を参照して、表示制御処理について説明する。
【００８３】
ステップＳ２２で、モニタープルーフ連携装置１０へ入力された表示指示を、検索部１２が受け付ける。そして、検索部１２が、例えば、図１１に示すような初期検索条件テーブル１７を参照して、表示指示に含まれる部門情報が示す部門に対応した初期検索条件を特定する。そして、検索部１２は、モニタープルーフＤＢ１６から、初期検索条件に合致する属性情報を有するモニタープルーフ用画像を検索する。検索部１２は、検索したモニタープルーフ用画像、及びその属性情報を、表示制御部１３へ受け渡す。
【００８４】
次に、ステップＳ２４で、表示制御部１３が、検索部１２から受け渡されたモニタープルーフ用画像、及びその属性情報から、モニタープルーフ用画像の一覧画面４１の画面データを作成し、表示指示を出力したモニタープルーフシステム３０へ返す。これにより、表示指示を出力したモニタープルーフシステム３０の表示部３４に、例えば、図１２〜図１５に示すような、各部門に応じたモニタープルーフ用画像の一覧画面４１が表示される。
【００８５】
次に、ステップＳ２６で、表示制御部１３が、モニタープルーフ用画像の表示を終了するか否かを判定する。この判定は、一覧画面４１の画面データの出力先のモニタープルーフシステム３０から、モニタープルーフ用画像の表示を終了する旨の信号を受け付けたか否かにより判定することができる。モニタープルーフ用画像の表示を終了しない場合には、処理はステップＳ２８へ移行する。
【００８６】
ステップＳ２８では、表示制御部１３が、モニタープルーフシステム３０から、選択情報を受け付けたか否かを判定することにより、モニタープルーフシステム３０において、一覧画面４１から、モニタープルーフ用画像が選択されたか否かを判定する。モニタープルーフ用画像が選択されていない場合には、処理はステップＳ３０へ移行する。
【００８７】
ステップＳ３０では、表示制御部１３が、モニタープルーフシステム３０から検索条件を受け付けたか否かを判定することにより、検索条件が変更されたか否かを判定する。検索条件が変更された場合には、処理はステップＳ３２へ移行し、変更されていない場合には、処理はステップＳ２６に戻る。なお、上記ステップＳ２８でモニタープルーフ用画像が選択されることなく、かつ、上記ステップＳ３０で検索条件が変更されることなく所定時間が経過した場合にも、ステップＳ３２へ移行するようにしてもよい。
【００８８】
ステップＳ３２では、検索部１２が、変更された検索条件、又は、一覧画面４１において現在指定されている検索条件にしたがって、モニタープルーフＤＢ１６から、モニタープルーフ用画像を検索する。そして、検索部１２が、検索したモニタープルーフ用画像の画像データ及びその属性情報を、表示制御部１３へ受け渡し、処理はステップＳ２４に戻る。
【００８９】
上記ステップＳ２８で、表示制御部１３が、モニタープルーフシステム３０から選択情報を受け付けることにより、モニタープルーフ用画像が選択されたと判定された場合には、処理はステップＳ３４へ移行する。
【００９０】
ステップＳ３４では、表示制御部１３が、受け付けた選択情報に含まれるプルーフ用画像ＩＤが示すモニタープルーフ用画像の画像データを、モニタープルーフＤＢ１６から取得する。また、表示制御部１３は、例えば図１６に示す制御情報テーブル１８から、受け付けた選択情報に含まれる部門情報が示す部門に対応する制御情報を取得する。そして、表示制御部１３は、取得したモニタープルーフ用画像の画像データ及び制御情報を、選択情報を出力したモニタープルーフシステム３０へ返す。
【００９１】
これにより、モニタープルーフシステム３０の表示部３６に、選択されたモニタープルーフ用画像が原寸大で表示されると共に、ステータスを変更するための各部門に応じたコマンドボタン４８を含むプルーフ画面４４が表示される。
【００９２】
次に、ステップＳ３６で、更新部１４が、プルーフ画面４４において、いずれかのコマンドボタン４８の選択により、採用ステータス又は確認ステータスが変更されたか否かを判定する。この判定は、モニタープルーフシステム３０から操作情報を受け付けたか否かにより判定することができる。採用ステータス又は確認ステータスが変更された場合には、処理はステップＳ３８へ移行し、変更されていない場合には、処理はステップＳ４２へ移行する。
【００９３】
ステップＳ３８では、更新部１４が、受け付けた操作情報に基づいて、モニタープルーフＤＢ１６を更新する。
【００９４】
次に、ステップＳ４０で、更新部１４が、表示対象のモニタープルーフ用画像が素材画像の場合には、上記ステップＳ３６で受け付けた操作情報に基づいて、素材管理システム２０Ａの素材ＤＢ２２Ａを更新する。なお、表示対象のモニタープルーフ用画像が紙面画像の場合には、本ステップはスキップされる。
【００９５】
次に、ステップＳ４２で、表示制御部１３が、モニタープルーフシステム３０における操作対象を、一覧画面４１を表示している表示部３４に戻すか否かを判定する。例えば、モニタープルーフシステム３０において、プルーフ画面４４が閉じられたこと、一定時間以上表示部３６への操作がないことなどが検知された場合に、一覧画面４１を表示している表示部３４に操作対象を戻すと判定することができる。また、一覧画面４１を表示している表示部３４に対する操作が行われたことを検知した場合にも、一覧画面４１を表示している表示部３４に操作対象を戻すと判定してもよい。一覧画面４１を表示している表示部３４に操作対象を戻す場合には、処理はステップＳ３２へ移行し、戻さない場合には、処理はステップＳ３６に戻る。
【００９６】
上記ステップＳ２６で、表示制御部１３が、モニタープルーフ用画像の表示を終了すると判定すると、表示制御処理は終了する。
【００９７】
以上説明したように、本実施形態に係るモニタープルーフ連携装置によれば、複数の部門システムの各々から出力されるモニタープルーフ用画像の画像データ及び属性情報を、各部門システムで共用のモニタープルーフＤＢに蓄積する。そして、部門システムのいずれかからモニタープルーフ用画像の表示指示があった場合には、その部門に応じた検索条件でモニタープルーフＤＢから検索したモニタープルーフ用画像の一覧画面を表示する。そして、一覧画面から選択されたモニタープルーフ用画像をモニタープルーフ表示する。これにより、モニタープルーフを利用して、複数の部門又はシステムを連携することができる。
【００９８】
また、モニタープルーフ用画像の属性情報として、そのモニタープルーフ用画像の採用状況や確認状況等を示すステータスの情報を持たせておく。これにより、伝票等の指示書でやり取りすることなく、他部門での作業状況を把握することができる。また、これらのステータスの情報を検索条件として指定できることにより、各部門で必要なモニタープルーフ用画像のみを含む一覧画面が表示されることになり、作業の効率化を図ることができる。
【００９９】
また、一覧画面から選択したモニタープルーフ用画像を表示する際、ステータスを変更するためのコマンドボタンもあわせて表示する。このコマンドボタンの表示又は非表示を、モニタープルーフ用画像の表示指示を行った部門に応じて制御することで、各部門の担当者が意識することなく、各部門の権限に応じたステータスの変更のみが可能となる。
【０１００】
なお、上記実施形態では、新聞制作の現場の各部門で利用されるモニタープルーフシステムを連携する場合について説明したが、これに限定されない。雑誌やカタログ等の制作現場で利用される複数のモニタープルーフシステムを連携する場合にも利用可能である。また、上記実施形態のように、各部門システムが各々異なるシステムである必要はなく、同一種類の複数の部門システムが、それぞれモニタープルーフシステムを利用している場合にも、本発明を適用可能である。
【０１０１】
また、上記実施形態では、モニタープルーフシステムが、各部門にそれぞれ配置されている場合について説明したが、モニタープルーフシステムは、各部門で共用してもよい。
【０１０２】
また、上記実施形態では、モニタープルーフ連携システムに、各部門に応じた初期検索条件を定めた初期検索条件テーブルを保持している場合について説明したが、これに限定されない。各部門のモニタープルーフシステムから表示指示を出力する際に、各部門の担当者が任意の検索条件を指定するようにしてもよい。また、各部門のモニタープルーフシステムに、その部門に応じた検索条件を予め設定しておいてもよい。
【０１０３】
また、上記実施形態では、モニタープルーフ連携プログラム６０が記憶部５３に予め記憶（インストール）されている態様を説明したが、これに限定されない。開示の技術に係るプログラムは、ＣＤ−ＲＯＭ、ＤＶＤ−ＲＯＭ、ＵＳＢメモリ等の記憶媒体に記憶された形態で提供することも可能である。
【０１０４】
以上の実施形態に関し、更に以下の付記を開示する。
【０１０５】
（付記１）
複数の部門の各々に配置されたシステムの各々から出力されたモニタープルーフ用画像を、前記モニタープルーフ用画像を出力したシステム、又は前記システムが配置された部門を特定する部門情報を含む、前記モニタープルーフ用画像に関する属性情報と対応付けて、前記複数のシステムで共用される記憶領域に蓄積し、
前記複数の部門のいずれかからモニタープルーフ用画像の表示が指示された場合、前記記憶領域を参照して、前記モニタープルーフ用画像の表示を指示した部門に応じた検索条件に対応するモニタープルーフ用画像を検索し、
検索したモニタープルーフ用画像の一覧が表示されるように制御すると共に、前記一覧から選択されたモニタープルーフ用画像が表示されるように制御する
ことを含む処理をコンピュータに実行させるためのモニタープルーフ連携プログラム。
【０１０６】
（付記２）
前記検索条件として、前記部門情報を指定可能である付記１に記載のモニタープルーフ連携プログラム。
【０１０７】
（付記３）
前記属性情報は、前記モニタープルーフ用画像に対する作業の進捗を示すステータスを含み、
前記検索条件として、前記ステータスを指定可能である
付記１又は付記２に記載のモニタープルーフ連携プログラム。
【０１０８】
（付記４）
前記一覧から選択されたモニタープルーフ用画像を表示する際、前記モニタープルーフ用画像のステータスを変更するためのコマンドボタンを表示する付記３に記載のモニタープルーフ連携プログラム。
【０１０９】
（付記５）
表示する前記コマンドボタンの種類を、前記モニタープルーフ用画像の表示を指示した部門において変更可能なステータスに対応した種類とする付記４に記載のモニタープルーフ連携プログラム。
【０１１０】
（付記６）
前記モニタープルーフ用画像と共に表示した前記コマンドボタンのいずれかが選択された場合、選択された前記コマンドボタンの種類に基づいて、前記記憶領域に記憶された前記ステータスを更新することをさらに含む処理を前記コンピュータに実行させるための付記５に記載のモニタープルーフ連携プログラム。
【０１１１】
（付記７）
複数の部門の各々に配置されたシステムの各々から出力されたモニタープルーフ用画像を、前記モニタープルーフ用画像を出力したシステム、又は前記システムが配置された部門を特定する部門情報を含む、前記モニタープルーフ用画像に関する属性情報と対応付けて、前記複数のシステムで共用される記憶領域に蓄積する蓄積部と、
前記複数の部門のいずれかからモニタープルーフ用画像の表示が指示された場合、前記記憶領域を参照して、前記モニタープルーフ用画像の表示を指示した部門に応じた検索条件に対応するモニタープルーフ用画像を検索する検索部と、
検索したモニタープルーフ用画像の一覧が表示されるように制御すると共に、前記一覧から選択されたモニタープルーフ用画像が表示されるように制御する表示制御部と、
を含むモニタープルーフ連携装置。
【０１１２】
（付記８）
前記検索条件として、前記部門情報を指定可能である付記７に記載のモニタープルーフ連携装置。
【０１１３】
（付記９）
前記属性情報は、前記モニタープルーフ用画像に対する作業の進捗を示すステータスを含み、
前記検索条件として、前記ステータスを指定可能である
付記７又は付記８に記載のモニタープルーフ連携装置。
【０１１４】
（付記１０）
前記表示制御部は、前記一覧から選択されたモニタープルーフ用画像を表示する際、前記モニタープルーフ用画像のステータスを変更するためのコマンドボタンを表示する付記９に記載のモニタープルーフ連携装置。
【０１１５】
（付記１１）
前記表示制御部は、表示する前記コマンドボタンの種類を、前記モニタープルーフ用画像の表示を指示した部門において変更可能なステータスに対応した種類とする付記１０に記載のモニタープルーフ連携装置。
【０１１６】
（付記１２）
前記モニタープルーフ用画像と共に表示した前記コマンドボタンのいずれかが選択された場合、選択された前記コマンドボタンの種類に基づいて、前記記憶領域に記憶された前記ステータスを更新する更新部をさらに含む付記１１に記載のモニタープルーフ連携装置。
【０１１７】
（付記１３）
複数の部門の各々に配置されたシステムの各々から出力されたモニタープルーフ用画像を、前記モニタープルーフ用画像を出力したシステム、又は前記システムが配置された部門を特定する部門情報を含む、前記モニタープルーフ用画像に関する属性情報と対応付けて、前記複数のシステムで共用される記憶領域に蓄積し、
前記複数の部門のいずれかからモニタープルーフ用画像の表示が指示された場合、前記記憶領域を参照して、前記モニタープルーフ用画像の表示を指示した部門に応じた検索条件に対応するモニタープルーフ用画像を検索し、
検索したモニタープルーフ用画像の一覧が表示されるように制御すると共に、前記一覧から選択されたモニタープルーフ用画像が表示されるように制御する
ことを含む処理をコンピュータが実行するためのモニタープルーフ連携方法。
【０１１８】
（付記１４）
前記検索条件として、前記部門情報を指定可能である付記１３に記載のモニタープルーフ連携方法。
【０１１９】
（付記１５）
前記属性情報は、前記モニタープルーフ用画像に対する作業の進捗を示すステータスを含み、
前記検索条件として、前記ステータスを指定可能である
付記１３又は付記１４に記載のモニタープルーフ連携方法。
【０１２０】
（付記１６）
前記一覧から選択されたモニタープルーフ用画像を表示する際、前記モニタープルーフ用画像のステータスを変更するためのコマンドボタンを表示する付記１５に記載のモニタープルーフ連携方法。
【０１２１】
（付記１７）
表示する前記コマンドボタンの種類を、前記モニタープルーフ用画像の表示を指示した部門において変更可能なステータスに対応した種類とする付記１６に記載のモニタープルーフ連携方法。
【０１２２】
（付記１８）
前記モニタープルーフ用画像と共に表示した前記コマンドボタンのいずれかが選択された場合、選択された前記コマンドボタンの種類に基づいて、前記記憶領域に記憶された前記ステータスを更新することをさらに含む処理を前記コンピュータが実行するための付記１７に記載のモニタープルーフ連携方法。
【０１２３】
（付記１９）
複数の部門の各々に配置されたシステムの各々から出力されたモニタープルーフ用画像を、前記モニタープルーフ用画像を出力したシステム、又は前記システムが配置された部門を特定する部門情報を含む、前記モニタープルーフ用画像に関する属性情報と対応付けて、前記複数のシステムで共用される記憶領域に蓄積し、
前記複数の部門のいずれかからモニタープルーフ用画像の表示が指示された場合、前記記憶領域を参照して、前記モニタープルーフ用画像の表示を指示した部門に応じた検索条件に対応するモニタープルーフ用画像を検索し、
検索したモニタープルーフ用画像の一覧が表示されるように制御すると共に、前記一覧から選択されたモニタープルーフ用画像が表示されるように制御する
ことを含む処理をコンピュータに実行させるためのモニタープルーフ連携プログラムを記憶した記憶媒体。
【符号の説明】
【０１２４】
１０   モニタープルーフ連携装置
１１   蓄積部
１２   検索部
１３   表示制御部
１４   更新部
１６   モニタープルーフＤＢ
１７   初期検索条件テーブル
１８   制御情報テーブル
２０   部門システム
２０Ａ 素材管理システム
２０Ｂ 画像加工システム
２０Ｃ 組版システム
２０Ｄ 組版システム
３０、３０Ａ、３０Ｂ、３０Ｃ、３０Ｄ      モニタープルーフシステム
３２   コンピュータ
３４、３６    表示部
３８   入力部
４０   モニタープルーフ出力システム
４１   一覧画面
４４   プルーフ画面
４８   コマンドボタン
５０   コンピュータ
５１   ＣＰＵ
５２   メモリ
５３   記憶部
５９   記憶媒体
６０   モニタープルーフ連携プログラム
【図１】
2019159946.tif 000003
【図２】
2019159946.tif 000004
【図３】
2019159946.tif 000005
【図４】
2019159946.tif 000006
【図５】
2019159946.tif 000007
【図６】
2019159946.tif 000008
【図７】
2019159946.tif 000009
【図８】
2019159946.tif 000010
【図９】
2019159946.tif 000011
【図１０】
2019159946.tif 000012
【図１１】
2019159946.tif 000013
【図１２】
2019159946.tif 000014
【図１３】
2019159946.tif 000015
【図１４】
2019159946.tif 000016
【図１５】
2019159946.tif 000017
【図１６】
2019159946.tif 000018
【図１７】
2019159946.tif 000019
【図１８】
2019159946.tif 000020
【図１９】
2019159946.tif 000021
【図２０】
2019159946.tif 000022
【図２１】
2019159946.tif 000023
【図２２】
2019159946.tif 000024
【図２３】
2019159946.tif 000025